(57)【特許請求の範囲】
【請求項１】
上部開口部に蓋体を配設して成る土木構造体から該蓋体を取り外すための装置であって、前記土木構造体の上部開口部若しくはその周辺位置に接地される接地部と、この接地部に設けられ前記上部開口部に配設された前記蓋体の上方位置に配設される支持部とを有し、前記接地部は、所定間隔を介した対向位置に配される左右の接地部で構成され、この接地部同士の対向間隔は可変自在に設けられており、前記支持部にはジャッキが設けられ、このジャッキには前記蓋体に離脱自在に連結され該蓋体を該ジャッキの作動により吊り上げる吊り上げ体が設けられていることを特徴とする土木構造体における蓋体取外し装置。
【請求項２】
請求項１記載の土木構造体における蓋体取外し装置において、前記支持部は、前記接地部のいずれか一方に設けられるガイド構造部と、前記接地部のいずれか他方に設けられるスライド構造部とを連結する伸縮構造であることを特徴とする土木構造体における蓋体取外し装置。
【請求項３】
請求項２記載の土木構造体における蓋体取外し装置において、前記ジャッキは、前記ガイド構造部若しくは前記スライド構造部に移動自在に設けられ、このジャッキの移動方向は、前記支持部の伸縮方向と同一方向に設定されていることを特徴とする土木構造体における蓋体取外し装置。
【請求項４】
上部開口部に蓋体を配設して成る土木構造体から該蓋体を取り外すための装置であって、前記土木構造体の上部開口部若しくはその周辺位置に接地される接地部と、この接地部に設けられ前記上部開口部に配設された前記蓋体の上方位置に配設される支持部とを有し、この支持部にはジャッキが設けられ、このジャッキには前記蓋体に離脱自在に連結され該蓋体を該ジャッキの作動により吊り上げる吊り上げ体が複数設けられ、この吊り上げ体夫々には前記ジャッキに設けられた前記昇降部の水平方向複数個所に離脱自在に連結する連結部が設けられていることを特徴とする土木構造体における蓋体取外し装置。
【請求項５】
請求項４記載の土木構造体における蓋体取外し装置において、前記昇降部は、水平部と該水平部に設けられる垂直部とから成り、前記水平部には前記吊り上げ体が設けられ、また、前記垂直部は前記ガイド構造部若しくはスライド構造部に設けられた長孔部に嵌入されていることを特徴とする土木構造体における蓋体取外し装置。
【請求項６】
請求項５記載の土木構造体における蓋体取外し装置において、前記垂直部は薄板体であり、また、前記長孔部の開口は前記垂直部の厚さと同等に構成されていることを特徴とする土木構造体における蓋体取外し装置。
【請求項７】
請求項１〜６いずれか１項に記載の土木構造体における蓋体取外し装置において、前記ジャッキとして手動油圧ジャッキを採用したことを特徴とする土木構造体における蓋体取外し装置。
【請求項８】
請求項１〜７いずれか１項に記載の土木構造体における蓋体取外し装置において、前記接地部には移動用の車輪が設けられていることを特徴とする土木構造体における蓋体取外し装置。
【請求項９】
請求項１〜８いずれか１項に記載の土木構造体における蓋体取外し装置において、前記土木構造体は側溝やマンホールであることを特徴とする土木構造体における蓋体取外し装置。
【発明の詳細な説明】
【技術分野】
【０００１】
本発明は、例えば側溝やマンホールなどの土木構造体における蓋体取外し装置に関するものである。
【背景技術】
【０００２】
従来から、上部開口部に蓋体を嵌合配設する土木構造体、例えば側溝の開口部に嵌合される蓋体（グレーチング）を取り外すための装置として、例えば、特開平１０−６０９９４号に開示される蓋体取外し装置（以下、従来例１）が提案されている。
【０００３】
この従来例１は、グレーチングの格子部の隙間に挿入可能なフック部材と、把手が取り付けられたアーム部材と、このアーム部材の先端側寄りに取り付けられた支持脚と、この支持脚に設けられるキャスタとから構成されている。
【０００４】
この従来例１を使ってグレーチングを外す場合、まず、この従来例１を側溝まで移動した後、把手を上方になるようにアーム部材を傾け、フック部材を格子部の隙間に挿入した後、このフック部材で格子部を保持し、次いで、把手を下方に押し下げる。キャスタが設けられている脚部がテコの支点になって、フック部材が格子部を保持してグレーチングを吊り上げ、この状態でこの従来例１を移動すれば、側溝からグレーチングを外すことが出来ることになる。従って、作業者が重いグレーチングを腰を屈めて両手で持ち上げ取り外さなくてもよく、また、非力な作業者でも重いグレーチングの取り外しができるようになる。
【０００５】
しかしながら、従来例１は、グレーチングと側溝との隙間に砂や泥などが溜まって固化しているような場合、グレーチングを容易に取り外せないことがある。即ち、実際にこのような場合に従来例１を用いると、グレーチングが斜め方向に持ち上がるため、グレーチングが側溝から離脱しないという問題が生ずる。
【０００６】
従って、グレーチングの縁と側溝との間に砂や泥などが溜まって固化した場合、若しくはグレーチングと側溝との間の隙間に寸法的な余裕がない場合には、この従来例１を用いてグレーチングの一方の端を持ち上げて取り外そうとしても、グレーチングの端が側溝の壁の途中に当接して持ち上げられず、グレーチングを外すのに手間取ることになる。
【０００７】
そこで、本発明者は、前述した従来例１の問題を解消すべく、特許第４７９０７７０号に開示される蓋体取外し装置（以下、従来例２）を提案している。
【０００８】
この従来例２は、先端部に、グレーチングの格子部の隙間に上面側から挿入可能で且つ格子部を下面側から係止保持可能な係止保持部及び接地部が設けられ、後端部に、押し下げることで接地部を支点に係止保持部で格子部を係止保持したグレーチングを持ち上げ状態とする押し下げ操作部が設けられており、係止保持部より後方部位に、係止保持部で係止保持し持ち上げ状態とした格子部の上面部に当接してグレーチングを略水平に維持する当接部が設けられたものである。
【０００９】
従って、従来例２は、前述した従来例１に比し、グレーチングを垂直方向に持ち上げることができるため（平らに持ち上げることができるため）、例えばグレーチングと側溝との隙間に砂や泥などが溜まって固化していても容易にグレーチングを取り外すことができる。
【先行技術文献】
【特許文献】
【００１０】
【特許文献１】特許第４７９０７７０号公報
【発明の概要】
【発明が解決しようとする課題】
【００１１】
本発明者は、この蓋体取外し装置について更なる研究・開発を進め、その結果、極めて商品価値の高い画期的な土木構造体における蓋体取外し装置を開発した。
【課題を解決するための手段】
【００１２】
添付図面を参照して本発明の要旨を説明する。
【００１３】
上部開口部１ａに蓋体２を配設して成る土木構造体１から該蓋体２を取り外すための装置であって、前記土木構造体１の上部開口部１ａ若しくはその周辺位置に接地される接地部３と、この接地部３に設けられ前記上部開口部１ａに配設された前記蓋体２の上方位置に配設される支持部５とを有し、前記接地部３は、所定間隔を介した対向位置に配される左右の接地部３Ａ，３Ｂで構成され、この接地部３Ａ，３Ｂ同士の対向間隔は可変自在に設けられており、前記支持部５にはジャッキ８が設けられ、このジャッキ８には前記蓋体２に離脱自在に連結され該蓋体２を該ジャッキ８の作動により吊り上げる吊り上げ体７が設けられていることを特徴とする土木構造体における蓋体取外し装置に係るものである。
【００１４】
また、請求項１記載の土木構造体における蓋体取外し装置において、前記支持部５は、前記接地部３Ａ，３Ｂのいずれか一方に設けられるガイド構造部９と、前記接地部３Ａ，３Ｂのいずれか他方に設けられるスライド構造部10とを連結する伸縮構造であることを特徴とする土木構造体における蓋体取外し装置に係るものである。
【００１５】
また、請求項２記載の土木構造体における蓋体取外し装置において、前記ジャッキ８は、前記ガイド構造部９若しくは前記スライド構造部10に移動自在に設けられ、このジャッキ８の移動方向は、前記支持部５の伸縮方向と同一方向に設定されていることを特徴とする土木構造体における蓋体取外し装置に係るものである。
【００１６】
また、上部開口部１ａに蓋体２を配設して成る土木構造体１から該蓋体２を取り外すための装置であって、前記土木構造体１の上部開口部１ａ若しくはその周辺位置に接地される接地部３と、この接地部３に設けられ前記上部開口部１ａに配設された前記蓋体２の上方位置に配設される支持部５とを有し、この支持部５にはジャッキ８が設けられ、このジャッキ８には前記蓋体２に離脱自在に連結され該蓋体２を該ジャッキ８の作動により吊り上げる吊り上げ体７が複数設けられ、この吊り上げ体７夫々には前記ジャッキ８に設けられた前記昇降部11の水平方向複数個所に離脱自在に連結する連結部７ａが設けられていることを特徴とする土木構造体における蓋体取外し装置に係るものである。
【００１７】
また、請求項４記載の土木構造体における蓋体取外し装置において、前記昇降部11は、水平部11ａと該水平部11ａに設けられる垂直部11ｂとから成り、前記水平部11ａには前記吊り上げ体７が設けられ、また、前記垂直部11ｂは前記ガイド構造部９若しくはスライド構造部10に設けられた長孔部５ａに嵌入されていることを特徴とする土木構造体における蓋体取外し装置に係るものである。
【００１８】
また、請求項５記載の土木構造体における蓋体取外し装置において、前記垂直部11ｂは薄板体であり、また、前記長孔部５ａの開口は前記垂直部11ｂの厚さと同等に構成されていることを特徴とする土木構造体における蓋体取外し装置に係るものである。
【００１９】
また、請求項１〜６いずれか１項に記載の土木構造体における蓋体取外し装置において、前記ジャッキ８として手動油圧ジャッキを採用したことを特徴とする土木構造体における蓋体取外し装置に係るものである。
【００２０】
また、請求項１〜７いずれか１項に記載の土木構造体における蓋体取外し装置において、前記接地部３には移動用の車輪12が設けられていることを特徴とする土木構造体における蓋体取外し装置に係るものである。
【００２１】
また、請求項１〜８いずれか１項に記載の土木構造体における蓋体取外し装置において、前記土木構造体１は側溝やマンホールであることを特徴とする土木構造体における蓋体取外し装置に係るものである。
【発明の効果】
【００２２】
本発明は上述のように構成したから、土木構造体の上部開口部に配設される蓋体を簡易且つ確実に取り外すことができるなど、極めて商品価値の高い画期的な土木構造体における蓋体取外し装置となる。
【図面の簡単な説明】
【００２３】
【図１】本実施例を示す斜視図である。
【図２】本実施例の使用状態説明図である。
【図３】本実施例に係る要部の動作説明図である。
【図４】本実施例に係る要部の説明図である。
【図５】本実施例に係る要部の動作説明図である。
【図６】本実施例の使用状態説明図である。
【図７】本実施例の使用状態説明図である。
【図８】本実施例の使用状態説明図である。
【発明を実施するための形態】
【００２４】
好適と考える本発明の実施形態を、図面に基づいて本発明の作用を示して簡単に説明する。
【００２５】
土木構造体１の上部開口部１ａ若しくはその周辺位置に接地部３を接地させて、支持部５を蓋体２の上方位置に配設する。
【００２６】
この状態で吊り上げ体７を蓋体２に連結し、ジャッキ８を作動させて吊り上げ体７を上昇させると、蓋体２は垂直方向に上昇して取り外された状態となる。
【００２７】
従って、本発明によれば、蓋体２の縁と上部開口部１ａとの間に砂や泥などが溜まって固化した場合であっても、また、蓋体２と上部開口部１ａとの間の隙間に寸法的な余裕がない場合であっても、蓋体２を斜め方向でなく垂直方向に上昇させることができるため、極めて良好に取り外すことができる。
【００２８】
また、本発明は、蓋体２を上昇させるためにジャッキ８を利用するものであるから、大きな力は必要なく、楽に蓋体２を取り外すことができる。
【実施例】
【００２９】
本発明の具体的な一実施例について図面に基づいて説明する。
【００３０】
本実施例は、側溝やマンホールなどの土木構造体１から蓋体２を取り外すための装置である。
【００３１】
尚、本実施例では、土木構造体１を、上部開口部１ａにグレーチング２（鋼材を格子状に組んだ蓋）を嵌合配設する側溝（Ｕ字溝）としたが、これに限らず、蓋体２が配設される土木構造体１、例えばマンホールや排水升でも良いなど、本実施例の特性を発揮する構成であれば適宜採用し得るものである。
【００３２】
本実施例は、図１に図示したように適宜な金属製の部材で構成されたものであり、左右対向位置に配される接地部３Ａ，３Ｂと、この接地部３Ａ，３Ｂ同士間に設けられる支持部５とで構成されている。
【００３３】
各接地部３Ａ，３Ｂは、図１，２に図示したように断面方形の横部材３ａの左右両端部に断面方形の縦部材３ｂを垂設したコ字状体であり、後述する支持部５を介して左右対向位置に配されている。
【００３４】
この各接地部３Ａ，３Ｂを構成する縦部材３ｂ同士の間隔は、ごく一般的な土木構造体の上部開口部１ａの巾に合わせた間隔に設定されている。尚、上部開口部１ａの巾が一般的な巾よりも広い場合）には、後述するように接地部３Ａ，３Ｂ同士の対向間隔を可変して上部開口部１ａの巾に対応する（図３参照）。
【００３５】
また、接地部３Ａ，３Ｂにおける縦部材３ｂの下端部には移動用の車輪12が設けられ、更に、接地部３Ａ，３Ｂのうち一方の接地部３Ｂには把手13が設けられている。
【００３６】
従って、この把手13を握り、車輪12を転動させて移動させることができる。
【００３７】
支持部５は、図１，２に図示したように左右の接地部３Ａ，３Ｂの横部材３ａ間に架設される架設体で構成され、横部材３ａの中央部及び左右両端部に複数（合計３本）架設されている。尚、支持部５の数は１本でも２本でも良く、棒状に限らず盤状でも良い。
【００３８】
また、支持部５は、接地部３Ａ，３Ｂのいずれか一方に設けられるガイド構造部９と、このガイド構造部９にスライド自在に連結し接地部３Ａ，３Ｂのいずれか他方に設けられるスライド構造部10とを有して伸縮自在に設けられており、支持部５を伸縮させて接地部３Ａ，３Ｂ同士の対向間隔は可変自在に設けられている。
【００３９】
具体的には、図３に図示したようにガイド構造部９は断面方形状の筒状体であり、断面方形状の棒状体であるスライド構造部10に伸縮自在に被嵌連結されている。
【００４０】
従って、支持部５を伸縮させて接地部３Ａ，３Ｂ同士の対向間隔を可変することで土木構造体１（上部開口部１ａ）の巾に対応することができる。
【００４１】
また、ガイド構造部９の先端側下面位置には螺子孔９ａが設けられ、この螺子孔９ａには螺子棒部14ａの基端に回動部14ｂが設けられた螺子体14が螺着されており、この螺子体14を螺動させて螺子棒部14ａの先端部をスライド構造部10に圧接させることで、支持部５は伸縮不能状態となる。
【００４２】
また、支持部５にはジャッキ８が設けられている。
【００４３】
具体的には、ジャッキ８は、ガイド構造部９（若しくはスライド構造部10）の上面に設けたガイド凹部９ａにスライド移動自在に載置状態に設けられ、ジャッキ８の移動方向は、支持部５の伸縮方向（ガイド構造部９に対するスライド構造部10のスライド方向）と同一方向に設定されている。
【００４４】
従って、支持部５を伸縮させても常に吊り上げ体７を蓋体２に対して最適な位置、即ち、一対の吊り上げ体７でバランスよく吊り上げることのできる蓋体２の最適な位置に吊り上げ体７を連結することができ、蓋体２を安定的に吊り上げることができる。
【００４５】
本実施例のジャッキ８は、公知構造の手動油圧ジャッキ８であり、握持操作部15（レバーハンドル）の往復擺動操作（昇降操作）を繰り返すことにより進退突出部16（ラム）が上昇するように構成されている。
【００４６】
このジャッキ８の構造について簡単に説明すると、進退突出部16が昇降スライド自在に嵌挿され、内部に油が充填されるシリンダー部17と、このシリンダー部17内の油を循環せしめる循環構造を有して、各所に弁構造を設けた油循環部18と、この油循環部18に連設され、油を押圧して循環せしめるポンプ部19とをジャッキ本体に設けて構成されており、このポンプ部19は、ジャッキ本体に擺動自在に連結される握持操作部15としての柄の下端部に油を押圧する図示省略の押圧体が設けられた構造である。
【００４７】
前述した構造を具備したジャッキ８は、握持操作部15を下方へ押込み擺動操作（降下操作）せしめると、押圧体が油を押圧することで弁構造が開いてポンプ部19から油循環部18を介してシリンダー部17内に油が流れ込み、このシリンダー部17に油が流れ込むことにより進退突出部16が所定の距離だけ上昇する。
【００４８】
続いて、握持操作部15を上方へ引き上げ擺動操作（上昇操作）せしめると、油循環部18にある油が弁構造を開いてポンプ部19内に流れ込むことになる。
【００４９】
従って、この握持操作部15の往復擺動操作（昇降操作）を繰り返すことにより進退突出部16は徐々に上昇することになる。その後、油循環部18に設けたレリーズバルブ20を開放すると進退突出部16は降下することになる。
【００５０】
また、進退突出部16には昇降部11が設けられている。
【００５１】
この昇降部11は、図１，２に図示したように水平部11ａと該水平部11ａに設けられる垂直部11ｂとから成り、水平部11ａの下面中央位置にはジャッキ８（進退突出部16）が連結されている。
【００５２】
また、水平部11の下面にして進退突出部16の連結位置の左右位置には、後述する吊り上げ体７を連結する連結孔11ａ’が水平方向に複数（片側４つずつ）並設されている。
【００５３】
この連結孔11ａ’は、吊り上げ体７のフック状の連結部７ａを引っ掛け係止して連結するように構成されている。
【００５４】
従って、ジャッキ８の左右位置に左右一対の吊り上げ体７は垂設状態となり、この吊り上げ体７を用いて均等な状態で蓋体２を吊り上げることができる。
【００５５】
また、昇降部11の左右両端部には、薄板状の垂直部11ｂが垂設されている。
【００５６】
この左右の垂直部11ｂは、ジャッキ８を中央の上部配設体５に載置させた際、前述した複数（３本）の支持部５のうち左右の支持部５に設けた長孔部５ａに上方から嵌入され、ジャッキ８の移動に伴い該長孔部５ａに沿って移動するように構成されている。
【００５７】
また、垂直部11ｂの厚さは長孔部５ａの開口部と同等に構成されている。
【００５８】
従って、昇降部11は、左右の垂直部11ｂが長孔部５ａに嵌挿されることで水平方向への回転が阻止されることになる。
【００５９】
吊り上げ体７は、ジャッキ８に設けた昇降部11に垂設状態に連結される構成であり、本実施例では複数（２本）設けている。
【００６０】
具体的には、吊り上げ体７は、図１，４，５に図示したように適宜な金属製の棒状体であり、上端部には昇降部11に設けた連結孔11ａに係脱自在に係止連結するフック状の連結部７ａが設けられている。
【００６１】
この連結部７ａには軸方向に回動する回動構造部７ａ’が設けられている。
【００６２】
また、吊り上げ体７は、下端部に蓋体２に連結する蓋体連結部７ｂが設けられている。
【００６３】
この蓋体連結部７ｂは、吊り上げ体７の下端部をＴ字状に形成したものであり、蓋体２の格子部の隙間（縦長孔）に挿入して、回動構造部７ａ’を９０度軸回動させることで蓋体２の格子部の下面に係止するように構成されている（図５参照）。
【００６４】
尚、吊り上げ体７は棒状に限らず鎖状やチェーン状でも良く、また、吊り上げ体７における蓋体２への連結構造としては、係止構造に限らず、例えば吸着構造でも良いなど、本実施例の作用効果を発揮するものであれば適宜採用し得るものである。
【００６５】
以上の構成から成る本実施例に係る蓋体取外し装置（以下、本装置）を用いた蓋体２（グレーチング）の取外し作業について説明する。
【００６６】
先ず、本装置を把手13及び車輪12を用いて移動させて、土木構造体１の上部開口部１ａの周辺位置に接地部３Ａ，３Ｂを接地させた状態とし、支持部５を蓋体２の上方位置に配設する。この際、バランスよく蓋体２を吊り上げるべく、ジャッキ８が蓋体２の上部中央に位置するようガイド構造部９に対してジャッキ８を移動させたり、また、必要に応じて接地部３Ａ，３Ｂ同士間の間隔を調節する。
【００６７】
続いて、この状態で吊り上げ体７の蓋体連結部７ｂを蓋体２に連結させ（蓋体連結部７ｂをグレーチングの格子孔に挿入して回動構造部７ａ’を９０度回転させ）、その後、この吊り上げ体７の連結部７ａを昇降部11の連結孔11ａに連結する（図６参照）。
【００６８】
続いて、ジャッキ８を作動させて該ジャッキ８を間に挟んだ左右の吊り上げ体７を上昇させると、蓋体２は垂直方向に上昇して取り外された状態となる（図７，８参照）。
【００６９】
この状態で、蓋体２が邪魔にならない位置に本装置を移動させ、土木構造体１（側溝）の掃除など行い、その後、取り外し時と反対の操作を行うことで蓋体２を上部開口部１ａに配設する。
【００７０】
本実施例は上述のように構成したから、蓋体２の縁と側溝１（上部開口部１ａ）との間に砂や泥などが溜まって固化した場合、若しくは蓋体２と側溝１（上部開口部１ａ）との間の隙間に寸法的な余裕がない場合であっても、蓋体２を垂直方向に上昇させることができるため、極めて良好に取り外すことができる。
【００７１】
また、本実施例は、蓋体２を上昇させるためにジャッキ８を利用するものであるから、それほど力は必要なく、楽に取り外すことができる。
【００７２】
また、本実施例は、接地部３は、所定間隔を介した対向位置に配される左右の接地部３Ａ，３Ｂで構成され、この接地部３Ａ，３Ｂ同士の対向間隔は可変自在に設けられているから、土木構造体１の上部開口部１ａの巾に対応して蓋体２を取り外すことができる。
【００７３】
また、本実施例は、支持部５は、接地部３Ａ，３Ｂのいずれか一方に設けられるガイド構造部９と、接地部３Ａ，３Ｂのいずれか他方に設けられるスライド構造部10とを連結する伸縮構造であるから、確実に接地部３Ａ，３Ｂ同士の対向間隔を可変自在にできる。
【００７４】
また、本実施例は、ジャッキ８は、ガイド構造部９（若しくはスライド構造部10）に移動自在に設けられ、このジャッキ８の移動方向は、支持部５の伸縮方向と同一方向に設定されているから、常にジャッキ８を蓋体２の上方中央位置に配してバランスよく左右の吊り上げ体７で蓋体２を吊り上げることができる。
【００７５】
また、本実施例は、吊り上げ体７を複数具備し、この吊り上げ体７夫々はジャッキ８に設けられた昇降部11に垂設され、吊り上げ体７夫々の上端部には、昇降部11の水平方向複数個所に離脱自在に連結される連結部７ａが設けられているから、吊り上げ体７の位置を適宜可変して蓋体２に対してバランスよく吊り上げられる位置に吊り上げ体７を配することができる。
【００７６】
また、本実施例は、昇降部11は、水平部11ａと該水平部11ａに設けられる垂直部11ｂとから成り、水平部11ａには吊り上げ体７が設けられ、また、垂直部11ｂはガイド構造部９（若しくはスライド構造部10）に設けられた長孔部５ａに嵌入されているから、水平部11ａは水平方向への回動が阻止されることになり、確実に吊り上げ体７の吊り上げ機能が発揮されることになる。
【００７７】
また、本実施例は、ジャッキ８として手動油圧ジャッキを採用したから、簡易構造であり極めて操作性が良く、しかも、コスト安にして量産性に秀れることになる。
【００７８】
また、本実施例は、接地部３には移動用の車輪12が設けられているから、蓋体２を吊り上げた状態で移動させることができる。
【００７９】
尚、本発明は、本実施例に限られるものではなく、各構成要件の具体的構成は適宜設計し得るものである。
【符号の説明】
【００８０】
１  土木構造体
１ａ  上部開口部
２  蓋体
３  接地部
３Ａ  接地部
３Ｂ  接地部
５  支持部
５ａ  長孔部
７  吊り上げ体
７ａ  連結部
８  ジャッキ
９  ガイド構造部
10  スライド構造部
11  昇降部
11ａ  水平部
11ｂ  垂直部
12  車輪
【図１】
0005451786.tif 000002
【図２】
0005451786.tif 000003
【図３】
0005451786.tif 000004
【図４】
0005451786.tif 000005
【図５】
0005451786.tif 000006
【図６】
0005451786.tif 000007
【図７】
0005451786.tif 000008
【図８】
0005451786.tif 000009